(57)【要約】      （修正有）【課題】劣悪な受信環境であっても受信信号電力の変動を抑制する受信電力調整装置を提供する。【解決手段】アンテナで受信された無線信号は、アナログフロントエンド部で、周波数変換され、さらにフィルタリング、アナログ・デジタル変換などを施される。アナログフロントエンド部の出力は、無線信号の一部が抽出されて、受信信号Ｒとして受信電力調整装置に供給される。受信電力調整装置は、受信信号Ｒを互いに異なるＮ個の平均化時間（Ｔ１〜ＴＮ）で平均化することで得られる平均化信号（Ｌ１〜ＬＮ）にゲイン（Ｇ１〜ＧＮ）を乗算して、加算する。平均化時間（Ｔ１〜ＴＮ）とゲイン（Ｇ１〜ＧＮ）を、平均化信号（Ｌ１〜ＬＮ）に対応する評価値（Ｈ１〜ＨＮ）に基づいて制御する。各評価値（Ｈｎ）は、対応する平均化信号（Ｌｎ）の測定時間区間内の最大値（ｍｘｋ）及び最小値（ｍｎｋ）に基づいて定め得る。【選択図】図２
2017175413.tif 000002
【特許請求の範囲】
【請求項１】
受信信号を、それぞれ第１乃至第Ｎの平均化時間で平均化して第１乃至第Ｎの平均化信号を生成し、前記第１乃至第Ｎの平均化信号に第１乃至第Ｎのゲインを乗算して第１乃至第Ｎの乗算信号を生成する第１乃至第Ｎの演算部と、
前記第１乃至第Ｎの乗算信号を加算して加算信号を出力する加算部と、
前記第１乃至第Ｎの平均化信号に基づいて、前記第１乃至第Ｎのゲインのうちのいずれを最大のゲインとすべきかを示す最大ゲイン制御信号と、時間制御信号とを生成する状態監視部と、
前記最大ゲイン制御信号に基づいて、前記第１乃至第Ｎのゲインを決定するゲイン決定部と、
前記時間制御信号に基づいて、前記第１乃至第Ｎの平均化時間を決定する平均化時間決定部と
を備えることを特徴とする受信電力調整装置。
【請求項２】
前記第１乃至第Ｎの平均化時間をＴ１〜ＴＮで表すとき
１≦ｋ＜Ｎを満たす任意のｋについて
Ｔｋ＜Ｔｋ＋１が満たされ、
前記第１乃至第ＮのゲインをそれぞれＧ１〜ＧＮで表し、
前記最大のゲインをＧａ（ａは１からＮのいずれか）で表すとき、
前記ゲイン決定部は、
１≦ｋ＜ａを満たす任意のｋについて、Ｇｋ≦Ｇｋ＋１を満たし、
ａ≦ｋ＜Ｎを満たす任意のｋについて、Ｇｋ≧Ｇｋ＋１を満たすように、
前記第１乃至第Ｎのゲインを決定すること
を特徴とする請求項１に記載の受信電力調整装置。
【請求項３】
前記状態監視部は、前記受信信号の統計情報を生成し、生成された前記統計情報に基づいて、前記最大ゲイン制御信号及び前記時間制御信号を生成することを特徴とする請求項１又は２に記載の受信電力調整装置。
【請求項４】
前記状態監視部は、前記第１乃至第Ｎの平均化信号にそれぞれ対応する第１乃至第Ｎの評価値を算出し、
前記状態監視部は、
前記第１乃至第Ｎの評価値のうちの、絶対値が最小であるものを示す情報を生成し、
前記ゲイン決定部は、
前記第１乃至第Ｎの評価値のうちの、前記絶対値が最小である評価値に対応する平均化信号が生成された演算部で用いられるゲインが最大となるように前記第１乃至第Ｎのゲインを決定する
ことを特徴とする請求項１又は２に記載の受信電力調整装置。
【請求項５】
前記状態監視部は、前記第１乃至第Ｎのゲインのうちのいずれを最小のゲインとすべきかを示す最小ゲイン制御信号をさらに生成し、
前記ゲイン決定部は、前記最大ゲイン制御信号のみならず、前記最小ゲイン制御信号にも基づいて、前記第１乃至第Ｎのゲインを決定することを特徴とする請求項１に記載の受信電力調整装置。
【請求項６】
前記第１乃至第Ｎの平均化時間をＴ１〜ＴＮで表すとき
１≦ｋ＜Ｎを満たす任意のｋについて
Ｔｋ＜Ｔｋ＋１が満たされ、
前記第１乃至第ＮのゲインをそれぞれＧ１〜ＧＮで表し、
前記最大のゲインをＧａ（ａは１からＮのいずれか）で表し、
前記最小のゲインをＧｂ（ｂは１からＮのいずれか）で表すとき、
ａ＜ｂであれば、
前記ゲイン決定部は、
１≦ｋ＜ａを満たす任意のｋについて、Ｇｋ≦Ｇｋ＋１を満たし、
ａ≦ｋ＜ｂを満たす任意のｋについて、Ｇｋ≧Ｇｋ＋１を満たし、
ｂ≦ｋ＜Ｎを満たす任意のｋについて、Ｇｋ≦Ｇｋ＋１を満たすように、
前記第１乃至第Ｎのゲインを決定し、
ａ＞ｂであれば、
前記ゲイン決定部は、
１≦ｋ＜ｂを満たす任意のｋについて、Ｇｋ≧Ｇｋ＋１を満たし、
ｂ≦ｋ＜ａを満たす任意のｋについて、Ｇｋ≦Ｇｋ＋１を満たし、
ａ≦ｋ＜Ｎを満たす任意のｋについて、Ｇｋ≧Ｇｋ＋１を満たすように、
前記第１乃至第Ｎのゲインを決定すること
を特徴とする請求項５に記載の受信電力調整装置。
【請求項７】
前記状態監視部は、前記受信信号の統計情報を生成し、
生成された統計情報に基づいて、前記最大ゲイン制御信号、前記最小ゲイン制御信号及び前記時間制御信号を生成する
ことを特徴とする請求項５又は６に記載の受信電力調整装置。
【請求項８】
前記状態監視部は、前記第１乃至第Ｎの平均化信号にそれぞれ対応する第１乃至第Ｎの評価値を算出し、
前記状態監視部は、前記第１乃至第Ｎの評価値のうちの、絶対値が最小であるものを示す情報、及び前記第１乃至第Ｎの評価値のうちの、絶対値が最大であるものを示す情報を生成し、
前記ゲイン決定部は、
前記第１乃至第Ｎの評価値のうちの、前記絶対値が最小である評価値に対応する平均化信号が生成された演算部で用いられるゲインが最大となるようにかつ、
前記第１乃至第Ｎの評価値のうちの、前記絶対値が最大である評価値に対応する平均化信号が生成された演算部で用いられるゲインが最小となるように
前記第１乃至第Ｎのゲインを決定する
ことを特徴とする請求項５又は６に記載の受信電力調整装置。
【請求項９】
前記第１乃至第Ｎの評価値のうちの、第ｋの評価値（ｋは、１からＮのいずれか）は、対応する前記第ｋの平均化信号の、予め定められた測定時間区間内における最大値及び最小値が、予め定められた最大閾値及び最小閾値で定められる範囲内にあり、かつ前記最大値が前記最大閾値に近いほど小さく、前記最小値が前記最小閾値に近いほど小さい値を有する
ものであることを特徴とする請求項４又は８に記載の受信電力調整装置。
に記載の受信電力調整装置。
【請求項１０】
前記最大値をｍｘｋ、前記最小値をｍｎｋ、前記最大閾値をα、前記最小閾値をβ、前記第ｋの評価値をＨｋで表すとき、
前記第ｋの評価値Ｈｋは、下記の式
Ｈｋ＝（α−ｍｘｋ）＋（ｍｎｋ−β）
で表されるものであることを特徴とする請求項９に記載の受信電力調整装置。
【請求項１１】
前記時間制御信号は前記第１乃至第Ｎの平均化時間を短くすべきか、長くすべきか、変更せずに維持すべきかを示すものである
ことを特徴とする請求項１から１０のいずれか１項に記載の受信電力調整装置。
【請求項１２】
前記状態監視部は、
前記第１乃至第Ｎの評価値のうちの正の値の合計と、
前記第１乃至第Ｎの評価値のうちの負の値の合計とを算出し、
前記正の値の合計が予め定められた上限閾値を上回ったら、前記状態監視部は、前記時間制御信号として、前記第１乃至第Ｎの平均化時間を短くすべきことを示すものを生成し、
前記負の値の合計が予め定められた下限閾値を下回ったら、前記状態監視部は、前記時間制御信号として、前記第１乃至第Ｎの平均化時間を長くすべきことを示すものを生成する
ことを特徴とする請求項１１に記載の受信電力調整装置。
【請求項１３】
無線信号に対し、周波数変換及びフィルタリングを行うアナログフロントエンド部と、
前記アナログフロントエンド部の出力を、前記受信信号として受ける請求項１から１２のいずれか１項に記載の受信電力調整装置と、
前記受信電力調整装置で算出された加算信号に基づいて、前記受信信号に対する自動利得制御を行って、ゲイン調整された信号を出力するＡＧＣ処理部と、
前記ゲイン調整された信号を入力として、同期及び復調を行う同期・復調部とを有する無線受信装置。
【発明の詳細な説明】
【技術分野】
【０００１】
本発明は、無線信号を受信する無線受信装置、特にその受信電力調整装置に関する。本発明は特に、劣悪な受信環境であっても受信信号電力の変動を抑制することができる受信電力調整装置、及び該受信電力調整装置を用いた無線受信装置に関する。
【背景技術】
【０００２】
一般的な無線受信機では、同期・復調信号処理を正確に行うため、最適な入力信号電力またはその範囲が規定されている。そのため、受信信号電力が小さい場合は信号を増幅し、受信信号電力が大きい場合は信号を減衰させる処理が必要となる。この機能は、自動利得制御（ＡＧＣ：Ａｕｔｏｍａｔｉｃ  Ｇａｉｎ  Ｃｏｎｔｒｏｌ）と呼ばれ、移動無線受信機では必須機能となっている。
【０００３】
アンテナで受信された無線信号は、まず周波数変換、フィルタリング、アナログ・デジタル変換などを施され、デジタル信号が生成される。このデジタル信号を受信信号と呼ぶ。
【０００４】
次に、受信信号に対して電力平均化を行う。電力平均化により、熱雑音、瞬時伝送路変動成分などの影響を抑圧することができる。次に、平均化された電力に基づいてゲインを定め、定めたゲインを受信信号に掛けて、ゲイン調整後の信号を出力する。そして、乗算後の信号に対して同期・復調処理を行う。
【０００５】
同期・復調処理では、移動受信時の性能を確保するため、伝送路の短周期変動（フェージング）成分或いは長周期変動（シャドウイング）成分を推定し補償する等化処理を行うことが多い。一方、熱雑音に起因するランダムな信号電力変動成分は、受信信号品質劣化の要因となるため可能な限り抑圧しておく必要がある。
【０００６】
そのため、受信信号の電力平均化を行う際は、フェージング或いはシャドウイングに起因する信号電力変動の情報に基づいて、熱雑音を十分に抑圧できるような適切な平均化方法を設計しておく必要がある。
【０００７】
特許文献１に開示された手法では、遅延時間の異なるｍ個の受信信号の各々について、その受信信号の受信電力値を異なるｋ個の平均化時間で平均化することにより、ｋ個の平均受信電力値を計算し、ｋ個の平均受信電力値から一つの評価値を計算する。そして、ｍ個の受信信号の各々に対して計算された評価値に基づいて、ｍ個の受信信号の中からｎ個の受信信号を選択する。
【先行技術文献】
【特許文献】
【０００８】
【特許文献１】特開２００１−１４８６４０号公報（段落００１６〜００２３、図８）
【発明の概要】
【発明が解決しようとする課題】
【０００９】
しかしながら、先述の手法では、建物、大型車両などで反射した信号が様々な遅延時間で到来するような劣悪な受信環境において、その遅延時間が非常に長い場合或いは到来信号数が多い場合に、受信性能が確保できなくなる可能性がある。さらに、遅延時間の異なるｍ個の受信信号の各々について、その受信信号の受信電力値を異なる複数の平均化時間で平均化する構成であるため、先記のような劣悪な受信環境に対応するためには、多大な演算を要する問題がある。
【００１０】
本発明はこのような点に鑑みて提供されるものであり、劣悪な受信環境であっても演算量の増加なく受信信号電力の変動を抑制することを目的とする。
【課題を解決するための手段】
【００１１】
本発明の受信電力調整装置は、
受信信号を、それぞれ第１乃至第Ｎの平均化時間で平均化して第１乃至第Ｎの平均化信号を生成し、前記第１乃至第Ｎの平均化信号に第１乃至第Ｎのゲインを乗算して第１乃至第Ｎの乗算信号を生成する第１乃至第Ｎの演算部と、
前記第１乃至第Ｎの乗算信号を加算して加算信号を出力する加算部と、
前記第１乃至第Ｎの平均化信号に基づいて、前記第１乃至第Ｎのゲインのうちのいずれを最大のゲインとすべきかを示す最大ゲイン制御信号と、時間制御信号とを生成する状態監視部と、
前記最大ゲイン制御信号に基づいて、前記第１乃至第Ｎのゲインを決定するゲイン決定部と、
前記時間制御信号に基づいて、前記第１乃至第Ｎの平均化時間を決定する平均化時間決定部と
を備えることを特徴とする。
【発明の効果】
【００１２】
本発明によれば、劣悪な受信環境であっても、フェージング或いはシャドウイングに起因する信号電力変動の情報に基づいて、熱雑音を十分に抑圧できるような受信信号の電力平均化を演算量の増加なしで行うことができる。
【図面の簡単な説明】
【００１３】
【図１】本発明の実施の形態１に係る無線受信装置を示すブロック図である。
【図２】実施の形態１に係る受信電力調整装置の構成例を示すブロック図である。
【図３】図２の受信電力調整装置における第ｋの平均化部の構成例を示すブロック図である。
【図４】（ａ）〜（ｅ）は、図２の第１乃至第Ｎの演算部及び加算部の動作を示す図である。
【図５】図２の受信電力調整装置における状態監視部の構成例を示すブロック図である。
【図６】図５の状態監視部に含まれる検出部の動作を示す図である。
【図７】図５の状態監視部に含まれる信号生成部の構成例を示すブロック図である。
【図８】（ａ）〜（ｃ）は、図２の受信電力調整装置におけるゲイン決定部で決定されるゲインの互いに異なる例を示す図である。
【図９】図２の受信電力調整装置における平均化時間決定部の構成例を示すブロック図である。
【図１０】本発明の実施の形態２に係る受信電力調整装置の構成例を示すブロック図である。
【図１１】図１０の受信電力調整装置における状態監視部の構成例を示すブロック図である。
【図１２】図１１の状態監視部に含まれる信号生成部の構成例を示すブロック図である。
【図１３】（ａ）〜（ｃ）は、図１０の受信電力調整装置におけるゲイン決定部で決定されるゲインの互いに異なる例を示す図である。
【図１４】（ａ）〜（ｃ）は、図１０の受信電力調整装置におけるゲイン決定部で決定されるゲインの互いに異なる、さらなる例を示す図である。
【発明を実施するための形態】
【００１４】
実施の形態１．
図１は、本発明の実施の形態１に係る受信電力調整装置を備えた無線受信装置を示す。図示の無線受信装置は、受信電力調整装置１のほか、アンテナ２、アナログフロントエンド部３、ＡＧＣ処理部４、及び同期・復調部５を備えている。
【００１５】
アンテナ２で受信された無線信号Ｓａは、アナログフロントエンド部３で、周波数変換され、さらにフィルタリング、アナログ・デジタル変換などを施される。これらの処理で、無線信号の一部が抽出されて、デジタル信号が生成される。アナログフロントエンド部３の出力は、受信信号Ｒとして受信電力調整装置１に供給される。受信電力調整装置１では、受信信号Ｒに対して、複数の異なる平均化時間で平均し、その結果を重み付け加算することで、電力の平均値を表す加算信号Ｙａを算出する。
ＡＧＣ処理部４は、加算信号Ｙａを参照して、受信信号Ｒに対して自動利得制御（ＡＧＣ：  Ａｕｔｏｍａｔｉｃ  Ｇａｉｎ  Ｃｏｎｔｒｏｌ）処理を施して所望レベルの信号Ｓｃを生成し、同期・復調部５に供給する。ＡＧＣ処理部４は、ゲイン制御部４ａと乗算部４ｂとを有する。ゲイン制御部４ａは、加算信号Ｙａに基づいてゲインを定める。乗算部４ｂは、定められたゲインを受信信号Ｒに乗算する。
同期・復調部５は、信号Ｓｃに対して同期及び復調を行い、復調信号Ｓｄを出力する
【００１６】
図２は、図１の受信電力調整装置１の構成例を示すブロック図である。
図２に示される受信電力調整装置１は、Ｎ系統の、即ち第１乃至第Ｎの演算部１０−１〜１０−Ｎと、状態監視部２０と、ゲイン決定部３０と、平均化時間決定部４０と、加算部５０とを有する。
【００１７】
第１乃至第Ｎの演算部１０−１〜１０−Ｎは、それぞれ第１乃至第Ｎの平均化部１１−１〜１１−Ｎと、第１乃至第Ｎの乗算部１２−１〜１２−Ｎとを有する。
第１乃至第Ｎの平均化部１１−１〜１１−Ｎは、受信信号Ｒに対してそれぞれ第１乃至第Ｎの平均化時間Ｔ１〜ＴＮで平均化を行って第１乃至第Ｎの平均化信号Ｌ１〜ＬＮを生成する。
第１乃至第Ｎの乗算部１２−１〜１２−Ｎは、第１乃至第Ｎの平均化信号Ｌ１〜ＬＮに、第１乃至第ＮのゲインＧ１〜ＧＮを乗算して、第１乃至第Ｎの乗算信号Ｘ１〜ＸＮを出力する。
第１乃至第Ｎの平均化時間Ｔ１〜ＴＮは、それぞれ第１乃至第Ｎの時間指定信号Ｃ１〜ＣＮで指定される。第１乃至第ＮのゲインＧ１〜ＧＮは、それぞれ第１乃至第Ｎのゲイン指定信号Ｆ１〜ＦＮで指定される。
【００１８】
第１乃至第Ｎの平均化時間Ｔ１〜ＴＮは互いに異なる。「第ｋの平均化時間Ｔｋ（ｋは１からＮのいずれか）」との表現における「ｋ」を当該平均化時間の番号というとき、平均化時間はその番号の順に短い。即ち、
Ｔ１＜Ｔ２＜…ＴＮ
の関係がある。言い換えると、第１乃至第Ｎの平均化時間Ｔ１〜ＴＮは、１≦ｋ＜Ｎを満たす任意のｋについて（即ち、いずれのｋについても）Ｔｋ＜Ｔｋ＋１の関係がある。
上記の番号ｋをインデックスとも言う。第１乃至第Ｎの平均化時間Ｔ１〜ＴＮの各々はインデックスｋによって識別され、他の平均化時間と区別される。
【００１９】
第１乃至第ＮのゲインＧ１〜ＧＮ、第１乃至第Ｎの時間指定信号Ｃ１〜ＣＮ、第１乃至第Ｎのゲイン指定信号Ｆ１〜ＦＮ、第１乃至第Ｎの演算部１０−１〜１０−Ｎ、第１乃至第Ｎの平均化部１１−１〜１１−Ｎ、及び第１乃至第Ｎの乗算部１２−１〜１２−Ｎの「番号」乃至「インデックス」も同じ意味を持つ。
以下の説明で現れる他の構成要素、信号などについても同様である。
【００２０】
図３に、第ｋの平均化部１１−ｋの構成例を示す。
図３に示される平均化部１１−ｋは、遅延部Ｄｋ１〜ＤｋＩと、合成部Ｅｋとを有する。
遅延部Ｄｋ１〜ＤｋＩは互いに縦続接続されており、互いに同じ遅延時間を有する。受信電力調整装置１、特にその平均化部１１−ｋをデジタル回路により構成する場合、遅延部Ｄｋ１〜ＤｋＩの各々での遅延時間は、アナログフロントエンド部３におけるアナログ・デジタル変換の際のサンプリング時間間隔またはその整数倍であるのが望ましい。
【００２１】
初段の遅延部Ｄｋ１には、受信信号Ｒが入力され、各段の遅延部Ｄｋｉ（１≦ｉ≦Ｉ）の出力は次の段の遅延部Ｄｋ（ｉ＋１）に入力される。複数段での遅延により、互いに異なる遅延時間で遅延された信号Ｒｋ１〜ＲｋＩが出力される。
遅延部Ｄｋ１〜ＤｋＩの遅延時間の合計が平均化時間Ｔｋである。平均化時間Ｔｋを最大遅延時間とも言う。
時間指定信号Ｃｋにより、遅延部Ｄｋ１〜ＤｋＩの遅延時間が指定され、従って、時間指定信号Ｃｋにより、平均化時間Ｔｋも指定される。
【００２２】
第１乃至第Ｉの遅延部Ｄｋ１〜ＤｋＩの出力は、合成部Ｅｋに入力される。
合成部Ｅｋでは、第１乃至第Ｉの遅延部Ｄ１ｋ〜ＤＩｋの出力の期待値を第ｋの平均化信号Ｌｋとして出力する。
合成部Ｅｋは、Ｉ個の遅延部Ｄｋ１〜ＤｋＩの出力を全て加算し、遅延部Ｄｋ１〜ＤｋＩの数Ｉで除算した結果を平均化信号Ｌｋとして出力する構成であるのが望ましい。
【００２３】
図４（ａ）〜（ｅ）に、平均化部１１−１〜１１−Ｎによる平均化及び加算部５０による加算の概略を示す。図４（ａ）は、受信信号Ｒの受信電力の一例を示す。図４（ｂ）、（ｃ）及び（ｄ）は、平均化部１１−１〜１１−Ｎから出力される平均化信号Ｌ１〜ＬＮのうちの、平均化信号Ｌ１、Ｌ２及びＬＮを示す。
【００２４】
図４（ｂ）、（ｃ）及び（ｄ）は、平均化時間Ｔｋが短いほど、平均化信号Ｌｋは入力された受信信号Ｒに近く、従って変動幅が大きく、逆に平均化時間Ｔｋが長いほど、平均化信号Ｌｋは高周波数成分がより少なく、変動幅が小さいことを示す。
【００２５】
乗算部１２−ｋは、第ｋのゲイン指定信号Ｆｋで指定されるゲインＧｋを第ｋの平均化信号Ｌｋの値に乗算し、第ｋの乗算信号Ｘｋを出力する。ゲインＧｋを制御することで、平均化信号Ｌｋのレベルを変化させることができる。ゲインＧ１〜ＧＮは、その総和が１となるように定められているのが望ましい。
【００２６】
図２において、加算部５０は、第１乃至第Ｎの乗算信号Ｘ１〜ＸＮの値を加算し、加算結果を加算信号Ｙａとして出力する。
加算信号Ｙａの一例を図４（ｅ）に示す。
図４（ｅ）に示される加算信号Ｙａは、平均化信号Ｌ１〜ＬＮ（そのうち、Ｌ１、Ｌ２、ＬＮが図４（ｂ）、（ｃ）及び（ｄ）に示されている）に、それぞれゲインＧ１〜ＧＮを乗算することで得られた乗算信号Ｘ１〜ＸＮを加算することで得られるものである。
【００２７】
図２において、状態監視部２０は、第１乃至第Ｎの平均化信号Ｌ１〜ＬＮに基づいて受信信号の統計情報を生成し、生成された統計情報に基づいて最大ゲイン制御信号ＱＧｘと時間制御信号ＱＣとを生成する。
最大ゲイン制御信号ＱＧｘは、第１乃至第ＮのゲインＧ１〜ＧＮのうちのいずれを最大とするかを表すもの、言い換えると、第１乃至第Ｎのゲイン指定信号Ｆ１〜ＦＮでそれぞれ指定されるゲインＧ１〜ＧＮのうち、いずれのゲイン指定信号で指定されるゲインを最大とすべきかを表すものである。
時間制御信号ＱＣは、時間指定信号Ｃ１〜ＣＮで指定される平均化時間を短くすべきか、長くすべきか、変更せずに維持すべきかを示すものである。
【００２８】
図５に、状態監視部２０の構成例を示す。
図５に示される状態監視部２０は、第１乃至第Ｎの検出部２１−１〜２１−Ｎと、第１乃至第Ｎの評価部２２−１〜２２−Ｎと、閾値生成部２３と、信号生成部２４とを有する。
閾値生成部２３は、予め定められた最大閾値α及び最小閾値β（β＜α）を保持し、出力する。
【００２９】
第１乃至第Ｎの検出部２１−１〜２１−Ｎは、それぞれ第１乃至第Ｎの平均化信号Ｌ１〜ＬＮに対応して設けられたものであり、第１乃至第Ｎの評価部２２−１〜２２−Ｎは、それぞれ第１乃至第Ｎの検出部２１−１〜２１−Ｎに対応して設けられたものである。
【００３０】
第１乃至第Ｎの平均化信号Ｌ１〜ＬＮは、それぞれ対応する検出部２１−１〜２１−Ｎに入力される。検出部２１−１〜２１−Ｎは全て同じ機能を有する。以下では、検出部２１−ｋ（ｋは１からＮのいずれか）の動作を説明する。
【００３１】
検出部２１−ｋは、平均化信号Ｌｋの値を予め定められた測定時間区間毎に監視し、該時間区間内における平均化信号Ｌｋの最大値ｍｘｋ及び最小値ｍｎｋを検出する。
図６に、一つの測定時間区間内における最大値ｍｘｋ及び最小値ｍｎｋの一例を示す。測定時間区間は、間欠的または連続的に設定される。一つの測定時間区間が終わる前に次に測定時間区間が始まるようにしても良い。
検出部２１−１〜２１−Ｎの各々において同様の信号処理が行われ、Ｎ個の最大値ｍｘ１〜ｍｘＮ及びＮ個の最小値ｍｎ１〜ｍｎＮが検出される。
【００３２】
測定区間時間の長さは、Ｎ個の検出部２１−１〜２１−Ｎ相互間で互いに等しく設定される。
検出部２１−１〜２１−Ｎ相互間で測定区間時間が互いに異なると、後述の信号生成部２４における比較を正確に行うことができなくなるためである。
また、測定区間時間は、Ｎ個の検出部２１−１〜２１−Ｎ相互間で互いに同期しているのが望ましい。同期していなくても信号生成部２４における比較を行うことができるが、処理が複雑になるためである。以下では、同期しているものとして説明する。
【００３３】
Ｎ個の最大値ｍｘ１〜ｍｘＮ及びＮ個の最小値ｍｎ１〜ｍｎＮは、それぞれ対応する評価部２２−１〜２２−Ｎに入力される。
評価部２２−１〜２２−Ｎは全て同じ機能を有する。以下では、評価部２２−ｋ（ｋは１からＮのいずれか）の動作を説明する。
【００３４】
評価部２２−ｋは、最大値ｍｘｋ及び最小値ｍｎｋを、最大閾値α及び最小閾値βと比較した結果を出力する。
具体的には、評価部２２−ｋでは、最大値ｍｘｋと最大閾値αとの大小関係、及び最小値ｍｎｋと最小閾値βとの大小関係に基づく計算を行い、その計算結果を出力する。例えば、算出される評価値をＨｋとした場合、式（１）で表される計算を行う。
Ｈｋ＝（α−ｍｘｋ）＋（ｍｎｋ−β）      （１）
式（１）からわかるように、この評価値Ｈｋは、負の値をも取り得るものである。
【００３５】
評価部２２−１〜２２−Ｎの各々において同様の信号処理が行われ、Ｎ個の評価値（第１乃至第Ｎの評価値）Ｈ１〜ＨＮが生成される。
第１乃至第Ｎの評価値Ｈ１〜ＨＮは、それぞれ第１乃至第Ｎの平均化信号Ｌ１〜ＬＮに対応するものであり、それらについての「番号」乃至「インデックス」も、第１乃至第Ｎの平均化信号Ｌ１〜ＬＮの場合と同じ意味を持つ。
【００３６】
Ｎ個の評価値Ｈ１〜ＨＮは信号生成部２４に入力される。
信号生成部２４は、評価値Ｈ１〜ＨＮを用いて以下に説明する信号処理を行い、処理の結果得られる最大ゲイン制御信号ＱＧｘ及び時間制御信号ＱＣを出力する。
具体的には、信号生成部２４は、第１乃至第Ｎの評価部２２−１〜２２−Ｎから出力される評価値Ｈ１〜ＨＮの絶対値を比較し、絶対値が最も小さい評価値を示す情報、例えば、該評価値のインデックスを示す信号を最大ゲイン制御信号ＱＧｘとして出力する。
例えば、評価値Ｈａ（ａは１からＮのいずれか）の絶対値が最小である場合、そのインデックスａを示す信号を最大ゲイン制御信号ＱＧｘとして出力する。
【００３７】
同時に、信号生成部２４では、Ｎ個の評価値Ｈ１〜ＨＮのうち、正の評価値の合計ＳＭｐと負の評価値の合計ＳＭｎを監視し、正の評価値の合計ＳＭｐが上限閾値γを上回ったか否か、及び負の評価値の合計ＳＭｎが下限閾値δ（負の値）を下回ったか否かに基づいて、時間制御信号ＱＣの値を決定する。
【００３８】
図７は、上述のような処理を行う信号生成部２４の構成例を示すブロック図である。
図７に示される信号生成部２４は、絶対値計算部２４ａと、最小値検出部２４ｂと、正値選択部２４ｃと、負値選択部２４ｄと、加算部２４ｅと、加算部２４ｆと、閾値生成部２４ｇと、比較部２４ｈと、比較部２４ｉと、判定部２４ｊとを有する。
【００３９】
絶対値計算部２４ａは、評価値Ｈ１〜ＨＮの絶対値｜Ｈ１｜〜｜ＨＮ｜を算出する。
最小値検出部２４ｂは、絶対値｜Ｈ１｜〜｜ＨＮ｜の最小値を検出し、そのインデックスａを示す信号を、最大ゲイン制御信号ＱＧｘとして出力する。
最大ゲイン制御信号ＱＧｘは、インデックスａを示すことにより、ゲインＧ１〜ＧＮのうちの、ゲインＧａを最大とすべきであることを表す。
【００４０】
正値選択部２４ｃは、評価値Ｈ１〜ＨＮのうち、正の値を有するもの（正の評価値）を選択する。
負値選択部２４ｄは、評価値Ｈ１〜ＨＮのうち、負の値を有するもの（負の評価値）を選択する。
加算部２４ｅは、正値選択部２４ｃで選択された評価値を加算して、その合計ＳＭｐを求め、出力する。
加算部２４ｆは、負値選択部２４ｄで選択された評価値を加算して、その合計ＳＭｎを求め、出力する。
閾値生成部２４ｇは予め定められた上限閾値γ及び下限閾値δを保持し、出力する。
【００４１】
比較部２４ｈは、加算部２４ｅから出力される合計ＳＭｐを上限閾値γと比較し、比較結果を出力する。比較結果は例えば、２値で表される。すなわち、合計ＳＭｐが上限閾値γよりも大きければ、比較結果は「１」となり、そうでなければ、「０」となる。
比較部２４ｉは、加算部２４ｆから出力される合計ＳＭｎを下限閾値δと比較し、比較結果を出力する。比較結果は例えば、２値で表される。すなわち、合計ＳＭｎが下限閾値δよりも小さければ（合計ＳＭｎの絶対値が下限閾値δの絶対値よりも大きければ）、比較結果は「１」となり、そうでなければ、「０」となる。
【００４２】
判定部２４ｊは、比較部２４ｈ、２４ｉからの比較結果を組み合わせて、時間制御信号ＱＣの値を定める。
即ち、比較部２４ｈで「正の評価値の合計ＳＭｐが上限閾値γを上回った」と判定されたら、時間制御信号ＱＣの値を「１」とし、比較部２４ｈで「正の評価値の合計ＳＭｐが上限閾値γを上回った」と判定されず、かつ比較部２４ｉで「負の評価値の合計ＳＭｎが下限閾値δを下回った」と判定されたら、時間制御信号ＱＣの値を「−１」とし、比較部２４ｈで「正の評価値の合計ＳＭｐが上限閾値γを上回った」と判定されず、かつ比較部２４ｉで「負の評価値の合計ＳＭｎが下限閾値δを下回った」と判定されなかったら、時間制御信号ＱＣの値を「０」とする。
【００４３】
状態監視部２０は、上記の測定時間区間毎に、最大値ｍｘ１〜ｍｘＮ及び最小値ｍｎ１〜ｍｎＮの検出を行い、検出した最大値及び最小値に基づいて、最大ゲイン制御信号ＱＧｘ及び時間制御信号ＱＣを生成する。即ち、最大ゲイン制御信号ＱＧｘの値及び時間制御信号ＱＣの値は測定時間区間毎に更新される。
【００４４】
図２において、ゲイン決定部３０は、測定時間毎に更新される最大ゲイン制御信号ＱＧｘに基づいてゲイン指定信号Ｆ１〜ＦＮを出力する。
ゲイン決定部３０は、例えば最大ゲイン制御信号ＱＧｘがインデックスａ（ａは１からＮのいずれか）を示すものである場合、ゲインＧ１〜ＧＮのうちでゲインＧａが最大となるように、かつインデックス１からａの範囲において単調増加し、インデックスａからＮの範囲において単調減少するようゲインＧ１〜ＧＮを決定する。
【００４５】
即ち、ゲイン決定部３０は、
１≦ｋ＜ａを満たす任意のｋについて（即ち、いずれのｋについても）Ｇｋ≦Ｇｋ＋１を満たし、
ａ≦ｋ＜Ｎを満たす任意のｋについて、Ｇｋ≧Ｇｋ＋１を満たすように、
第１乃至第ＮのゲインＧ１〜ＧＮを決定する。
【００４６】
図８（ａ）〜（ｃ）に、ゲインＧ１〜ＧＮの組合せの互いに異なる例を示す。これらの図では、インデックスが横軸方向に取られ、それぞれのインデックスを持つゲインが縦軸方向にプロットされている。
図８（ａ）〜（ｃ）のいずれでも、ゲインＧ１〜ＧＮは、インデックス１からａの範囲において単調増加し、インデックスａからＮの範囲において単調減少する。
そのうち、図８（ａ）では、ゲインが直線的に変化し、図８（ｂ）では、ゲインが下に凸の曲線に沿って変化し、図８（ｃ）では、ゲインが上に凸の曲線に沿って変化する。
但し、ゲインの変化は、図８（ａ）〜（ｃ）に示される例に限定されず、インデックス１からａの範囲において単調増加し、インデックスａからＮの範囲において、単調減少する特徴を有していれば、如何なるものであっても良い。
また変化曲線は、その形状が時間的に変化するものであっても良い。但し、変化する場合にも、上記の特徴を有するものとする。
【００４７】
図２において、平均化時間決定部４０は、測定時間毎に更新される時間制御信号ＱＣに基づいて、時間指定信号Ｃ１〜ＣＮの値を決定する。時間指定信号Ｃ１〜ＣＮは、それぞれ平均化部１１−１〜１１−Ｎの平均化時間Ｔ１〜ＴＮを指定するものである。具体的には、時間指定信号Ｃｋは、平均化部１１−ｋを構成するＩ個の遅延部Ｄｋ１〜ＤｋＩの各々（Ｄｋｉ）の遅延時間を制御することにより、当該平均化部１１−ｋの平均化時間Ｔｋを制御する。
【００４８】
上記のように、平均化部１１−ｋをデジタル回路により構成する場合には、遅延部の各々の遅延時間をアナログフロントエンド部３におけるアナログ・デジタル変換の際のサンプリング時間間隔またはその整数倍とすることが望ましい。
【００４９】
平均化時間決定部４０は、時間制御信号ＱＣに基づいて時間指定信号Ｃ１〜ＣＮの値を決定する。具体的には、時間制御信号ＱＣの値に応じて、時間指定信号Ｃ１〜ＣＮの値を変化させる。例えば、時間制御信号ＱＣの値が「０」であるときは、時間指定信号Ｃ１〜ＣＮの値を変化させず、時間制御信号ＱＣの値が「１」であるときは、時間指定信号Ｃ１〜ＣＮの値を１／μ倍にし、時間制御信号ＱＣの値が「−１」であるときは、時間指定信号Ｃ１〜ＣＮの値をμ倍にする。μは１よりも大きい値、例えば２である。
【００５０】
図９は、上述のような平均化時間決定部４０の構成例を示すブロック図である。
図９に示される平均化時間決定部４０は、第１乃至第Ｎの保持部４１−１〜４１−Ｎと、乗除算部４２−１〜４２−Ｎとを有する。
第ｋの保持部４１−ｋは、時間指定信号Ｃｋの値を保持し、出力する。
第ｋの乗除算部４２−ｋは、第ｋの保持部４１−ｋに保持されている時間指定信号Ｃｋの値に対し、時間制御信号ＱＣに従って予め定められた係数μを用いた乗算又は除算を行い、その結果を、新たな時間指定信号Ｃｋの値として、第ｋの保持部４１−ｋに保持させる。即ち、第ｋの保持部４１−ｋに保持されている時間指定信号Ｃｋの値を時間制御信号ＱＣに基づいて更新する。
例えば、時間制御信号ＱＣの値が「１」である場合に、時間指定信号Ｃｋの値を係数μで除算する。一方、時間制御信号ＱＣの値が「−１」である場合に、時間指定信号Ｃｋの値に係数μを乗算する。
【００５１】
時間指定信号Ｃ１〜ＣＮの値の決定乃至更新は、時間制御信号ＱＣの値が新たに決定され、即ち更新される毎に行われる。
例えば、ある測定時間区間における測定結果に基づいて定められた時間制御信号ＱＣの値が「１」であれば、時間指定信号Ｃ１〜ＣＮがそれまでの値の１／μにされ、次の測定時間区間における測定結果に基づいて定められた時間制御信号ＱＣの値が「１」であれば、時間指定信号Ｃ１〜ＣＮがさらに１／μ倍される（即ち、最初の値の１／μ２の値にされる）。以下時間制御信号ＱＣの値が「１」の状態が続けば、時間指定信号Ｃ１〜ＣＮの値は、測定時間区間毎に元の値の１／μ３倍、１／μ４倍…にと次第に小さくなっていく。この結果、平均化時間Ｔ１〜ＴＮが次第に短くなる。
逆に時間制御信号ＱＣの値が「−１」であれば、時間指定信号Ｃ１〜ＣＮの値は、測定時間区間毎に、元の値のμ倍、μ２倍、μ３倍…にと次第に大きくなっていく。この結果、平均化時間Ｔ１〜ＴＮが次第に長くなる。
【００５２】
上記の例では、正の評価値の合計ＳＭｐが上限閾値γを上回り、同時に負の評価値の合計ＳＭｎが下限閾値δを下回る場合には、時間制御信号ＱＣの値が「１」となるようにしている。このようにするのは、正の評価値の合計ＳＭｐが上限閾値γを上回る現象、及び負の評価値の合計ＳＭｎが下限閾値δを下回る現象を同時に抑制する制御を行うことができないためであり、そのような場合には、より安定な方向（平均化時間を短くする）での制御を行うこととしている。
【００５３】
なお、上記の例では、時間制御信号ＱＣの値が「０」、「１」又は「−１」となるものとして説明したが本発明はこれに限定されない。
要するに、時間制御信号ＱＣとしては、正の評価値の合計ＳＭｐが上限閾値γを上回った場合と、負の評価値の合計ＳＭｎが下限閾値δを下回った場合とで、異なる値となるものであればよい。
また、上記の例では、時間指定信号Ｃ１〜ＣＮの値の変化の割合を決める係数μが２であるが、本発明はこれに限定されず、例えば、μは４であっても良い。
【００５４】
上記の例では、評価値として、式（１）で算出されるものを用いたが、本発明はこれに限定されない。要は、最大値ｍｘｋが最大閾値αよりも小さくてかつ最小値ｍｎｋが最小閾値βにより大きいときに正の値を取り、かつ、最大値ｍｘｋが最大閾値αに近いほどより小さくなり、かつ最小値ｍｎｋが最小閾値βに近いほどより小さくなる評価値であればよい。
【００５５】
上記の測定時間区間の長さは以下のような考慮に基づいて定められる。
即ち、測定時間区間の長さは、伝送路の短周期変動（フェージング）や長周期変動（シャドウイング）の周期と同程度に決定され、従って通信システムの使用周波数（ＲＦ周波数）に依存する。
測定時間区間を長くし過ぎると、状態監視部２０における演算精度が低下する。例えば、最大値として検出すべき値が測定時間区間に複数存在するにも拘らず、そのうち１つしか選択されないこととなり、他の検出すべき値（測定期間が短ければ、最大値となる値）が参照されなくなるといったような問題が発生する。
短くし過ぎると、長周期変動の周期に関する情報が消失してしまう。例えば、測定時間区間が、長周期変動の周期の１／４程度に設定されていると、本来の最大値(測定時間区間が長ければ最大値となる値)と異なる値を最大値と認識してしまうという問題が発生する。
【００５６】
平均化信号Ｌ１〜ＬＮとの比較に用いられる上記の閾値α、βは、以下のような考慮に基づいて定められる。すなわちこれらの閾値α、βは、平均化信号Ｌ１〜ＬＮの最大値ｍｘ１〜ｍｘＮと最小値ｍｎ１〜ｍｎＮを、最大閾値αと最小閾値βの間に抑え込むような動作を行うためのものである。閾値α、βの絶対値ではなく、閾値間の差（α−β）の大きさによって効果の差異が現れる。
差（α−β）を大きくし過ぎた場合（αが大き過ぎる、または、βが小さ過ぎる場合）、平均化信号の変動幅が大きい状態であっても「安定した」と見なされてしまう。そのため、後段の復調信号処理などが不安定となる。
差（α−β）を小さくし過ぎた場合（αが小さすぎる、または、βが大き過ぎる場合）、平均化信号をこの範囲に抑え込むために、平均化時間を過度に長くすることが必要となる。このため、本来区別すべき短周期変動と長周期変動が区別出来なくなり、データ信号出力の品質が低下する。
【００５７】
正の評価値の合計ＳＭｐ及び負の評価値の合計ＳＭｎとの比較に用いられる閾値γ、δは以下のような考慮に基づいて定められる。即ち、閾値γは、平均化信号の変動幅が小さい場合に、該変動幅を拡大する方向（平均化時間を短くする方向）での制御を行うための閾値である。閾値γが大き過ぎると、変動幅が大き過ぎても、適切な状態に収束したと判断され、その状態が維持されてしまう。そのため、後段の復調信号処理などが不安定となる。一方、閾値γが小さ過ぎると、平均化時間が過度に長い状態が続くことになる。そのため、本来区別すべき短周期変動と長周期変動とが区別できなくなり、復調処理の結果出力される信号の品質が低下する。
閾値δは、負の値であり、平均化信号の変動幅が大きい場合に、該変動幅を縮小する方向（平均化時間を長くする方向）での制御を行うための閾値である。この閾値δが大き過ぎる（０に近すぎる）と、閾値δを下回る状況が頻繁に発生する。そのため、後段の復調信号処理などが不安定となる。一方、閾値δが小さ過ぎる（絶対値が大き過ぎる）と、平均化信号の変動幅が大きいにも拘わらず、その変動幅を縮小する制御（平均化時間を長くする制御）が行われない。そのため、復調処理の結果出力される信号の品質が低下する。
【００５８】
図３を参照して説明した構成では、各平均化部１１−ｋ内の遅延部Ｄｋ１〜ＤｋＩの数（段数）Ｉは平均化部１１−１〜１１−Ｎ相互間で同じであり、各平均化部１１−ｋ内の各遅延部Ｄｋｉの遅延時間を切り替えることで、平均化部１１−１〜１１−Ｎの平均化時間Ｔ１〜ＴＮを互いに異なるものとしている。このような構成の代わりに、各平均化部１１−ｋ内の遅延部Ｄｋ１〜ＤｋＩの段数Ｉを切り替え可能として、遅延部の段数Ｉを平均化部１１−１〜１１−Ｎ相互間で互いに異なるものとすることで、平均化時間Ｔ１〜ＴＮを互いに異なるものとする構成としても良い。この場合、各遅延部Ｄｋｉの遅延時間は固定したままにすることができる。
【００５９】
上記の例では、状態監視部２０が、評価値Ｈ１〜ＨＮのうちの絶対値が最小となるもののインデックス、並びに、評価値Ｈ１〜ＨＮのうちの正の値を有するもの（正の評価値）の合計ＳＭｐ、及び評価値Ｈ１〜ＨＮのうちの負の値を有するもの（負の評価値）の合計ＳＭｎを統計情報として生成し、生成した統計情報に基づいて最大ゲイン制御信号ＱＧｘ及び時間制御信号ＱＣを生成しているが、統計情報としては、上記以外のものを生成するようにしても良い。
【００６０】
以上のように、本実施の形態によれば、劣悪な受信環境であっても、フェージング或いはシャドウイングに起因する信号電力変動の情報に基づいて、熱雑音を十分に抑圧できるような受信信号の電力平均化を演算量の増加なしで行うことが可能となる。
【００６１】
なお、特に移動受信環境では、伝送路の環境は時々刻々と変化するため、受信電力平均化は継続的に動作させるべきものである。
例えば、ある時刻において、電力変動の主たる要因がフェージングによるものである場合、これを正確に推定し制御しないと、データが正常に復調できなくなる。しかし、数秒後に伝送路の環境が変化し、電力変動の主たる要因がシャドウイングによるものとなった場合でも、出来るだけ早くこの現象に追随する必要がある。従って、受信電力平均化は継続的に行う必要がある。
【００６２】
実施の形態２．
図１０は、本発明の実施の形態２に係る受信電力調整装置の構成例を示すブロック図である。
図１０の受信電力調整装置は、図２の受信電力調整装置と概して同じであるが、図２の状態監視部２０及びゲイン決定部３０の代わりに、状態監視部７０及びゲイン決定部８０が設けられている点で異なる。
【００６３】
状態監視部７０は、状態監視部２０と同様に、最大ゲイン制御信号ＱＧｘ及び時間制御信号ＱＣを生成するのみならず、最小ゲイン制御信号ＱＧｎをも生成する。
ゲイン決定部８０は、最大ゲイン制御信号ＱＧｘのみならず、最小ゲイン制御信号ＱＧｎをも入力とする。
最小ゲイン制御信号ＱＧｎは、第１乃至第ＮのゲインＧ１〜ＧＮのうちのいずれを最小とするかを表すもの、言い換えると、第１乃至第Ｎのゲイン指定信号Ｆ１〜ＦＮでそれぞれ指定されるゲインのうち、いずれのゲイン指定信号で指定されるゲインを最小とすべきかを表すものである。
【００６４】
図１１は、状態監視部７０の構成例を示す。
状態監視部７０は、概して図５に示される状態監視部２０と同じである。但し、信号生成部２４の代わりに、信号生成部７４が設けられている点で異なる。
図１２は、信号生成部７４の構成例を示す。
信号生成部７４は、概して図７に示される信号生成部２４と同じである。但し、最小値検出部２４ｂの代わりに、最小値最大値検出部７４ｂが設けられている点で異なる。
【００６５】
最小値最大値検出部７４ｂは、評価部２２−１〜２２−Ｎから出力される評価値Ｈ１〜ＨＮの絶対値｜Ｈ１｜〜｜ＨＮ｜を比較し、絶対値が最も小さい評価値を示す情報、例えば、該評価値のインデックスを示す信号を最大ゲイン制御信号ＱＧｘとして出力するとともに、絶対値が最も大きい評価値を示す情報、例えば、該評価値のインデックスを示す信号を最小ゲイン制御信号ＱＧｎとして出力する。
【００６６】
例えば、評価値Ｈａ（ａは１からＮのいずれか）の絶対値｜Ｈａ｜が最小である場合、そのインデックスａを示す信号を最大ゲイン制御信号ＱＧｘとして出力する。また、評価値Ｈｂ（ｂは１からＮのいずれか）の絶対値｜Ｈｂ｜が最大である場合、そのインデックスｂを示す信号を最小ゲイン制御信号ＱＧｎとして出力する。
最大ゲイン制御信号ＱＧｘは、インデックスａを示すことにより、ゲインＧ１〜ＧＮのうちの、ゲインＧａを最大とすべきであることを表す。
最小ゲイン制御信号ＱＧｎは、インデックスｂを示すことにより、ゲインＧ１〜ＧＮのうちの、ゲインＧｂを最小とすべきであることを表す。
【００６７】
ゲイン決定部８０は、最大ゲイン制御信号ＱＧｘ及び最小ゲイン制御信号ＱＧｎに基づいてゲイン指定信号Ｆ１〜ＦＮを出力する。
ゲイン決定部８０は、最大ゲイン制御信号ＱＧｘにより示されるインデックスａが、最小ゲイン制御信号ＱＧｎにより示されるインデックスｂよりも小さい場合には、インデックス１からａの範囲において（ｋの増加に対して）単調増加し、インデックスａからｂの範囲において、（ｋの増加に対して）単調減少し、インデックスｂからＮの範囲において、（ｋの増加に対して）単調増加するように、ゲインＧ１〜ＧＮを決定する。
【００６８】
即ち、ゲイン決定部３０は、
１≦ｋ＜ａを満たす任意のｋについて（即ち、いずれのｋについても）、Ｇｋ≦Ｇｋ＋１を満たし、
ａ≦ｋ＜ｂを満たす任意のｋについて、Ｇｋ≧Ｇｋ＋１を満たし、
ｂ≦ｋ＜Ｎを満たす任意のｋについて、Ｇｋ≧Ｇｋ＋１を満たすように、
第１乃至第ＮのゲインＧ１〜ＧＮを決定する。
【００６９】
図１３（ａ）〜（ｃ）に、インデックスａがインデックスｂよりも小さい場合に生成されるゲインＧ１〜ＧＮの組合せの互いに異なる例を示す。これらの図では、図８（ａ）〜（ｃ）と同様に、インデックスが横軸方向に取られ、それぞれのインデックスを持つゲインが縦軸方向にプロットされている。
図１３（ａ）〜（ｃ）のいずれでも、ゲインＧ１〜ＧＮは、インデックス１からａの範囲において単調増加し、インデックスａからｂの範囲において単調減少し、インデックスｂからＮの範囲において単調増加する。
そのうち、図１３（ａ）では、ゲインが直線的に変化し、図１３（ｂ）では、ゲインが下に凸の曲線に沿って変化する。図１３（ｃ）では、インデックス１からＮの全範囲において、ゲインが連続した滑らかな曲線に沿って変化する。
但し、ゲインの変化は、図１３（ａ）〜（ｃ）に示される例に限定されず、インデックス１からａの範囲において単調増加し、インデックスａからｂの範囲において単調減少し、インデックスｂからＮの範囲において単調増加する特徴を有していれば、如何なるものであっても良い。
【００７０】
ゲイン決定部８０は、最大ゲイン制御信号ＱＧｘにより示されるインデックスａが、最小ゲイン制御信号ＱＧｎにより示されるインデックスｂよりも大きい場合には、インデックス１からｂの範囲において（ｋの増加に対して）単調減少し、インデックスｂからａの範囲において、（ｋの増加に対して）単調増加し、インデックスａからＮの範囲において、（ｋの増加に対して）単調減少するように、ゲインＧ１〜ＧＮを決定する。
【００７１】
即ち、ゲイン決定部３０は、
１≦ｋ＜ｂを満たす任意のｋについて（即ち、いずれのｋについても）、Ｇｋ≧Ｇｋ＋１を満たし、
ｂ≦ｋ＜ａを満たす任意のｋについて、Ｇｋ≦Ｇｋ＋１を満たし、
ａ≦ｋ＜Ｎを満たす任意のｋについて、Ｇｋ≧Ｇｋ＋１を満たすように、
第１乃至第ＮのゲインＧ１〜ＧＮを決定する。
【００７２】
図１４（ａ）〜（ｃ）に、インデックスａがインデックスｂよりも大きい場合に生成されるゲインＧ１〜ＧＮの組合せの、互いに異なる例を示す。これらの図では、図８（ａ）〜（ｃ）及び図１３（ａ）〜（ｃ）と同様に、インデックスが横軸方向に取られ、それぞれのインデックスを持つゲインが縦軸方向にプロットされている。
図１４（ａ）〜（ｃ）のいずれでも、ゲインＧ１〜ＧＮは、インデックス１からｂの範囲において単調減少し、インデックスｂからａの範囲において単調増加し、インデックスａからＮの範囲において単調減少する。
そのうち、図１４（ａ）では、ゲインが直線的に変化し、図１４（ｂ）では、ゲインが下に凸の曲線に沿って変化する。図１４（ｃ）では、インデックス１からＮの全範囲において、ゲインが連続した滑らかな曲線に沿って変化する。
但し、ゲインの変化は、図１４（ａ）〜（ｃ）に示される例に限定されず、インデックス１からｂの範囲において単調減少し、インデックスｂからａの範囲において単調増加し、インデックスａからＮの範囲において単調減少する特徴を有していれば、如何なるものであっても良い。
【００７３】
また変化曲線は、その形状が時間的に変化するものであっても良い。但し、変化する場合にも、上記の特徴を維持するものとする。
【００７４】
実施の形態１に関して説明した変形は、実施の形態２に対しても加えうる。
【００７５】
以上のように、本実施の形態の受信電力調整装置を適用することで、劣悪な受信環境であっても、フェージング或いはシャドウイングに起因する信号電力変動の情報に基づいて、熱雑音を十分に抑圧できるような受信信号の電力平均化を演算量の増加なしでより高精度に行うことが可能となる。
【００７６】
以上実施の形態１乃至実施の形態２において、本発明の具体的な構成を例示したが、本発明は、これらの例に限定されず、種々の変形が可能である。
【符号の説明】
【００７７】
１  受信電力調整装置、  ２  アンテナ、  ３  アナログフロントエンド部、  ４  ＡＧＣ処理部、  ５  同期・復調部、  １０−１〜１０−Ｎ  演算部、  １１−１〜１１−Ｎ  平均化部、  １２−１〜１２−Ｎ  乗算部、  ２０  状態監視部、  ２１−１〜２１−Ｎ  検出部、  ２２−１〜２２−Ｎ  評価部、  ２３  閾値生成部、  ２４  信号生成部、  ２４ａ  絶対値計算部、  ２４ｂ  最小値検出部、  ２４ｃ  正値選択部、  ２４ｄ  負値選択部、  ２４ｅ  加算部、  ２４ｆ  加算部、  ２４ｇ  閾値生成部、  ２４ｈ  比較部、  ２４ｉ  比較部、  ２４ｊ  判定部、  ３０  ゲイン決定部、  ４０  平均化時間決定部、  ４１−１〜４１−Ｎ  保持部、  ４２−１〜４２−Ｎ  乗除算部、  ５０  加算部、  ７０  状態監視部、  ７４  信号生成部、  ７４ｂ  最小値・最大値検出部、  ８０  ゲイン決定部、  Ｄｋ１〜ＤｋＩ  遅延部、  Ｅｋ  合成部。
【図１】
2017175413.tif 000003
【図２】
2017175413.tif 000004
【図３】
2017175413.tif 000005
【図４】
2017175413.tif 000006
【図５】
2017175413.tif 000007
【図６】
2017175413.tif 000008
【図７】
2017175413.tif 000009
【図８】
2017175413.tif 000010
【図９】
2017175413.tif 000011
【図１０】
2017175413.tif 000012
【図１１】
2017175413.tif 000013
【図１２】
2017175413.tif 000014
【図１３】
2017175413.tif 000015
【図１４】
2017175413.tif 000016